(57)【特許請求の範囲】
【請求項１】
偏平状に折り合わされた筒状のフィルム（１）を、所定の寸法にカッター装置（４）で切断し、切断されたフィルム（１）がフィルム拡開用のマンドレル（７）に被嵌され、該マンドレル（７）に被嵌されたフィルム（１）を下方に移動すべく、駆動手段（25）により回転駆動する移送装置（15）が設けられ、しかも、フィルム（１）は、前記マンドレル（７）の下方に順次搬送される容器（32）に被嵌されるようにした容器へのフィルム嵌装装置において、前記マンドレル（７）は、移送装置（15）よりも下方に突出するタイミング合わせ部（7c）が設けられ、該タイミング合わせ部（7c）の下部側に当接する回転体（28）が設けられ、該回転体（28）は、前記駆動手段（25）とは別体の駆動手段（30）により回転制御され、前記移送装置（15）と回転体（28）とが同時に切断された一枚のフィルム（１）に当接することがないように構成されていることを特徴とする容器へのフィルム嵌装装置。
【請求項２】
前記回転体（28）は、前記別体の駆動手段（30）により、マンドレル（７）の下方に順次搬送される容器（32）と同期して回転制御され、筒状のフィルム（１）が該容器（32）に嵌装される請求項１記載の容器へのフィルム嵌装装置。
【発明の詳細な説明】
【０００１】
【発明の属する技術分野】
本発明は主として壜等の容器にキャップシールやラベルの装着作業を行う場合に適用される容器へのフィルム嵌装装置に関する。
【０００２】
【従来の技術】
従来、容器に筒状のフィルムからなるキャップシールを嵌装させる手段としては、例えば特公平６−13332号公報に記載の手段が公知である。
【０００３】
すなわち、同公報に記載の装置は、偏平状に折り合わされた長尺で筒状のフィルムを所定長さに切断した後に、該フィルムを、拡開用のマンドレルに被嵌し、移送装置で下方に引き降ろし、更に、マンドレルの下方に順次供給される容器に被嵌させる構成のものである。
【０００４】
【発明が解決しようとする課題】
しかしながら、前記従来の装置では、マンドレルに被嵌されたフィルムは、マンドレルの全長にわたって一定の速度で引き降ろされるため、例えば、移送装置とフィルムとの間に僅かな滑りが生じた場合、該フィルムを容器に被嵌するタイミングがずれてしまう欠点があり、トラブルの発生原因となるため、該フィルムを容器に被嵌する時には、タイミングスクリューやスターホイール等で一旦容器を停止するようにしており、高速処理に限度があった。
【０００５】
そこで、容器に近くなるように、マンドレルの途中でフィルムを切断することも考えられるが、かかる場合には、フィルムはマンドレルにより既に拡開されていることから、切断刃をその周囲に回転させる構成が必要となり、フィルムの切り口を真っ直ぐに美麗に切断できず切断端面が不体裁となったり、また、容器等に取り付けたフィルムを取り外す際に把持しやすい摘み部を形成すべく切り口に所定の凸部を設けることが不可能となる欠点があった。
【０００６】
本発明は、上記従来の問題点に鑑みてなされたもので、フィルムを偏平な状態で切断することにより、フィルムの切り口を綺麗にできたり、また、所望の摘み部を形成すべく切り口に所定の凸部を設けることを可能とし、しかも、移送装置と回転体とをそれぞれ別体の駆動手段により駆動することにより、フィルムを容器に被嵌させるタイミング合わせを容易に達成できるようにすることを課題とする。
【０００７】
【課題を解決するための手段】
本発明が上記課題を解決するために講じた技術的手段は、次の通りである。即ち、偏平状に折り合わされた筒状のフィルム１を、所定の寸法にカッター装置４で切断し、切断されたフィルム１がフィルム拡開用のマンドレル７に被嵌され、該マンドレル７に被嵌されたフィルム１を下方に移動すべく、駆動手段25により回転駆動する移送装置15が設けられ、しかも、フィルム１は、前記マンドレル７の下方に順次搬送される容器32に被嵌されるようにした容器へのフィルム嵌装装置において、前記マンドレル７は、移送装置15よりも下方に突出するタイミング合わせ部7cが設けられ、該タイミング合わせ部7cの下部側に当接する回転体28が設けられ、該回転体28は、前記駆動手段25とは別体の駆動手段30により回転制御され、前記移送装置15と回転体28とが同時にフィルム１に当接することがないように構成されていることにある。
【０００８】
【発明の実施の形態】
以下、本発明の実施の形態について図面を参照して説明する。
図２において、１は軟質で薄肉の合成樹脂製フィルム（例えば、ポリエステル、ポリスチレン、ポリ塩化ビニル、ポリプロピレン等の熱収縮性フィルム）を筒状に形成してなる長尺のフィルムで、偏平状に折り合わされた状態である。２は該長尺フィルム１を巻回したフィルムロールを示す。３，３は該フィルムロール２からガイドローラ５等を経て長尺フィルム１を所定の切断位置に合わせて順次繰出すための繰出用手段としての駆動回転自在な一対の繰出ローラである。
【０００９】
４はカッター装置で、該カッター装置４は二枚のカッター刃4a，4bを相対向させて相対的に接近させることによりフィルム１を所定の寸法Ｌ１に切断し得るもので、前記繰出ローラ３，３の下方に設けられている。
尚、前記繰出ローラ３から該カッター刃4a，4bによる切断位置において、長尺フィルム１の内側には、長尺フィルム１を内側より押し広げる板バネ状のインナーガイドＡが挿入されている。
【００１０】
６は繰り出される長尺フィルム１に印刷された所定のマークを検出するための検出センサーで、上記ガイドローラ５と繰出ローラ３，３との間に設けられている。従って、長尺のフィルム１を所定の位置で切断すべく、該検出センサー６による信号に基づいて繰出ローラ３，３が連動駆動停止するように制御されている。
【００１１】
７は前記繰出ローラ３，３の下方に設けられたフィルム拡開用のマンドレルで、下方側程大径となる傾斜形状の上部7aと略円柱状の胴部7bとを有している。また、マンドレル７の両側には、上側から下側に向けてガイド用の小ローラ９と、略中央の位置の係止用ローラ10，11と、下部のガイド用のローラ13とが、それぞれ回転自在に設けられている。
【００１２】
15は前記マンドレル７に被嵌されたフィルム１を下方に移動させるための移送装置で、一対の引降用回転体16をマンドレル７の両側に備えている。該引降用回転体16は、複数のプーリにベルト体19を循環回転自在に巻き掛けて構成され該複数のプーリによってマンドレル７を支持できるようにしたものである。
【００１３】
即ち、上方の第一プーリ20と前記係止用ローラ10を係止する第二プーリ21とがアーム23に取付けられ、ベルト体19の上部がマンドレル７の上部7aに対して接触するように第二プーリ21を中心に固定されている。また、下方の第三プーリ24は前記係止用ローラ11を係止している。尚、マンドレル７の胴部7bの下部は、ベルト体19よりも下方に突出するタイミング合わせ部7cとなっている。
【００１４】
25は前記第三プーリ24を回転駆動するためのモータで、該第三プーリ24を回転駆動することにより、ベルト体19を循環回転させることができる。尚、該モータ25は制御装置27に制御されている。
【００１５】
28は前記タイミング合わせ部7cに設けられた前記下部のローラ13とでフィルム１を下方に送る一対の回転体としての駆動ローラで、該駆動ローラ28は、前記タイミング合わせ部7c側のローラ13に接離自在に当接し且つ前記モータ25とは別体の駆動手段としてのモータ30により回転駆動するようになっている。尚、該モータ30も前記制御装置27により制御されている。
【００１６】
また、図１に示す如く、前記第三プーリ24及び駆動ローラ28の中心距離Ｌ２は、ベルト体19と駆動ローラ28とが同時にフィルム１に当接することがないように、前記フィルム１の所定の寸法Ｌ１よりも大きく設定されている。
【００１７】
31はマンドレル７の下方に配置された搬送コンベアで、被嵌装物としての容器32を、前記駆動ローラ28と連動して順次マンドレル７の下方へ連続的に供給するためのものである。
【００１８】
本実施の形態に係る筒状フィルムの嵌装装置は以上の構成からなり、次に、上記装置を使用した場合について説明する。
【００１９】
先ず、繰出ローラ３，３の駆動回転によってフィルムロール２から長尺フィルム１を下方に繰出し、検出センサー６は所定のマークを検出し、繰出しローラ３，３の駆動回転を停止させる。このとき、長尺フィルム１の先端はインナーガイドＡによって開口されマンドレル７の上端に嵌挿される。次に、カッター装置４によって、長尺状のフィルム１は所定の長さに切断される。
【００２０】
フィルム１の切断に際しては、フィルム１が大きく開口されておらず未だ偏平状に折り合わされた状態にあるため、二枚のカッター刃４a,４bによって前記フィルム１を、例えば切り口が直線状となる綺麗で且つ迅速に切断することができる。
【００２１】
次に、ベルト19を回転させて、切断されたフィルム１をマンドレル７に沿って下方に引降ろす。該フィルム１はマンドレル７に沿って引降ろされる際に、その全長が充分な大きさの口径に拡開される。
【００２２】
前記第三プーリ24及び駆動ローラ28の中心距離Ｌ２は、ベルト19と駆動ローラ28とが同時にフィルム１に当接することがないように、前記フィルム１の長さＬ１よりも大きく設定されているため、前記ベルト体19を通過してタイミング合わせ部7cに到達したフィルム１は、ベルト体19及び駆動ローラ28に強制的に引き降ろされることのない、いわゆる遊びの状態の後に、ベルト体19とは無関係に、コンベア装置31により搬送される容器32と同期して、接触する高速回転した駆動ローラ28により引降ろされ、該コンベア装置31により搬送される容器32に瞬時に落下して確実に嵌装されるのである。
【００２３】
更に、本発明はマンドレル７に被嵌されたフィルム1を引降ろすための回転体としては、上記実施の形態の如きベルト状のものに限定されず、例えばローラ式のものであってもよく、その具体的な構成は問わない。
【００２４】
更に、上記実施の形態では、所定の速度で常時回転する駆動ローラ28をタイミング合わせ部7c側のローラ13に対して接離自在に設けたが、駆動ローラ28はマンドレル７に接離する方向に移動せずに、間欠的に回転する構成であっても良い。また、回転体は駆動ローラ28に限らず、ベルト体を回転させる構成であっても良い。
【００２５】
また、上記形態では、二枚のカッター刃4a,4bを接近させるカッター装置4を使用したが、片方の刃を回転させる回転刃等、偏平状態で切断できるものであればよい。
【００２６】
更に、フィルム１の具体的な材質や大きさも問わない他、フィルムの嵌装対象となる容器の種類も限定されるものではない。
【００２７】
【発明の効果】
以上のように本発明のマンドレルは、移送装置よりも下方に突出するタイミング合わせ部が設けられ、該タイミング合わせ部の下部に当接する回転体が設けられ、該回転体は、前記駆動手段とは別体の駆動手段により回転制御され、前記移送装置と回転体とが同時にフィルムに当接することがないように構成されているので、容器の搬送に連動するように回転体を移送装置とは無関係に駆動制御でき、フィルムを容器に被嵌させるタイミングを容易且つ確実にとることが可能となり、一層の高速処理が可能となる。
【００２８】
しかも、フィルムは偏平の状態で切断されるため、フィルムの切断部分を真っ直ぐに綺麗に切断したり、あるいは、切断刃の形状を設計変更することにより摘み部を設けるように切断することが可能となる。
【図面の簡単な説明】
【図１】本発明の一実施の形態を示す概略正面図。
【図２】同全体を示す正面図。
【符号の説明】
１…フィルム、４…カッター装置、７…マンドレル、7c…タイミング合わせ部、15…移送装置、25…モータ（駆動手段）、28…駆動ローラ（回転体）、30…モータ（駆動手段）
【図１】
0003901794.tif 000002
【図２】
0003901794.tif 000003